(57)【要約】【課題】  海底地盤が波浪により不安定化するため、このメカニズムを解析的手法により解明し、海底地盤を安定化させる工法を提供すること。【解決手段】  海底地盤に透水性のよいコラムを配置することによって海底地盤を波浪に対して安定化させる海底地盤安定化工法、および地盤安定化工法である透水性コラムの効果を定量的に評価し、透水性コラムの配置計画と設計を支援する固体相（土粒子）と流体相（間隙流体）の相互作用を考慮した有限要素法による解析手法、そして、港湾、沿岸・海洋域において護岸や防波堤等の種々の構造物を波浪に対して安定化するための、透水性コラムの適用法を提供すること。【選択図】なし【特許請求の範囲】
【請求項１】
海底地盤に透水性の良いコラムを配置することによって海底地盤を波浪に対して安定化させる地盤安定化工法
【請求項２】
海底地盤を波浪に対して安定化させるために設置する透水性コラムの効果を定量的に評価し、透水性コラムの配置計画と設計を支援する解析手法
【請求項３】
港湾、沿岸・海洋域において護岸や防波堤等の種々の構造物を波浪に対して安定化するための、透水性コラムの適用方法
【発明の詳細な説明】
【技術分野】
【０００１】
本発明は沖合・沿岸構造物における地盤安定化工法で、これは土木工学、港湾工学、海岸工学分野に関連するものである。
【背景技術】
【０００２】
台風などによる荒天時に沿岸・海洋域において防波堤や護岸などの種々の構造物が被害を受けることがある。波浪によって生じる過大な水圧が構造物に作用し、これが構造物の損傷・破壊させる直接的な原因となっている。図１には典型的なコンクリート製のケーソンを本体とする重力式防波堤の典型的な断面を示す。波浪による水圧の変動は防波堤の外洋側に直接作用するため、その合力を主要な変動外力として安定性を評価する段階で適切に考慮する必要がある。一般のこの形式の防波堤では、この波浪による衝撃力を低減するために、防波堤の外洋側にコンクリート製の消波ブロックを積み上げて配置している。
【０００３】
この構造物に直接作用する変動水圧は構造物の不安定化においては最も重要な要素であるが、同時に変動水圧は構造物のみならず海底地盤にも作用する。これにより海底地盤が不安定化し、構造物（防波堤ケーソン）に対する地盤の基礎としての耐力が低下して構造物の機能が著しく損なわれる事例も少なくない（非特許文献１から３）。海岸工学分野では海水の流速に応じて海底の地盤材料が浮遊あるいは移動することに着目した「海底地盤の洗掘現象」として防波堤の被災のメカニズムを検討するのが普通である。しかし、これまでに明らかになっている被災例においては、波浪による海底地盤の不安定化が明らかに海底面下数メートル程度にまで及んでいる例も見られることから、地盤工学的見地から海底地盤を深さを有する三次元連続体として扱い、海底地盤表面における水圧変動のへの地盤の応答を評価する必要があることが非特許文献４から６によって示された。それ以降、地盤工学的な検討が活発に行われて、この分野における研究成果が蓄積されてきている。このことを力学的な面からとらえると、構造物−地盤−波浪が形成する複合的な力学系を固体−多孔質体−流体が形成する複合的なシステムとしてとらえ、力学的性質が本質的に異なる三者間の相互作用を適切に評価する必要があるということを意味している。
【０００４】
構造物−地盤（固体−多孔質体）の相互作用は、陸上においては地下水の影響を考慮した従来の地盤工学分野において検討され、構造物に対する地盤の支持力問題として研究の蓄積がある。これに対して、地盤−波浪（多孔質体−流体）の相互作用は比較的新しい問題であり、この相互作用を考慮したメカニズムによって沿岸・海洋構造物の不安定化現象が明らかにされつつあり、解析手法についても研究が進められている。
【０００５】
海底地盤と波浪の相互作用は力学的には多孔質体と流体の相互作用であり、海底地盤の多孔質体としてのモデル化および定式化が必要である。多孔質体のモデル化と定式化に関わる力学的な研究は非特許文献７より始まった。その後、海底地盤を連続体として固体と流体の二相系材料としてモデル化して波浪との相互作用に適用することで、海底地盤の挙動をある程度計算できることが明らかになってきている（非特許文献８から１１）。三浦らは海底地盤と波浪の相互作用の解析における海底地盤の定式化、解析次元、動的・静的解析条件の最適化について検討した（非特許文献１２から１３）。その結果、波浪のような比較的周期の長い作用に対しては地盤をｕ−ｐモデルで定式化し、擬似動的な解析を行えば充分な精度で相互作用を考慮した挙動の解析が可能であることを示した。また、対象とする海底地盤の深度が波長に比べて十分に小さい場合には、一次元解析で十分な精度の応答が得られることを示した。
【非特許文献１】西田仁志、山口豊、近藤豊次、清水謙吉（１９８５）：孔間弾性波探査法による離岸堤の埋没状況に関する考察、第３２回海岸工学講演会論文集、ｐｐ．３６５−３６９
【非特許文献２】善功企、梅原靖文（１９８６）：波浪による防波堤基礎地盤の液状化被災、海洋構造物の基礎に関するシンポジウム、第２編シンポジウム論文集、ｐｐ．２２５−２３２
【非特許文献３】岡二三生，大槙正紀，鎌田彰，八嶋厚，三浦均也（１９９４）：波浪による防波堤の沈下のケーススタディー―北海道東部，奔幌戸漁港における現地調査結果―，第３９回土質工学シンポジウム―海底地盤と海底施工技術―発表論文集，Ｖｏｌ．３９，ｐｐ．２１９−２２６．
【非特許文献４】Ｙａｍａｍｏｔｏ、Ｔ．（１９７７）：“Ｗａｖｅ  Ｉｎｄｕｃｅｄ  Ｉｎｓｔａｂｉｌｉｔｙ  ｉｎ  Ｓｅａｂｅｄ、  Ｐｒｏｃ．  Ｃｏａｓｔａｌ  Ｓｅｄｉｍｅｎｔｓ、”  ＡＳＣＥ、  ｐｐ．８９８−９１３．
【非特許文献５】Ｏｋｕｓａ，  Ｓ．  （１９８５）：  “Ｗａｖｅ−ｉｎｄｕｃｅｄ  Ｓｔｒｅｓｓｅｓ  ｉｎ  Ｕｎｓａｔｕｒａｔｅｄ  Ｓｕｂｍａｒｉｎｅ  Ｓｅｄｉｍｅｎｔｓ，”  Ｇｅｏｔｅｃｈｎｉｑｕｅ，  Ｖｏｌ．３５，  Ｎｏ．４，  ｐｐ．５０９−５１７．
【非特許文献６】善功企  （１９９０）：  波浪による海底地盤の液状化現象：平成２年度港湾空港技術研究所講演会論文集，ｐｐ．１−４９．
【非特許文献７】Ｂｉｏｔ、  Ｍ．  Ａ．  （１９４１）：  “Ｇｅｎｅｒａｌ  Ｔｈｅｏｒｙ  ｏｆ  Ｔｈｒｅｅ−Ｄｉｍｅｎｔｉｏｎａｌ  Ｃｏｎｓｏｌｉｄａｔｉｏｎ、”  Ｊｏｕｒｎａｌ  ｏｆ  Ａｐｐｌｉｅｄ  Ｐｈｙｓｉｃｓ、  Ｖｏｌ．１２、  ｐｐ．１５５−１６４．
【非特許文献８】Ｍａｄｓｅｎ、  Ｏ．  Ｓ．  （１９７８）：  “Ｗａｖｅ  Ｉｎｄｕｃｅｄ  Ｐｏｒｅ  Ｐｒｅｓｓｕｒｅｓ  ａｎｄ  Ｅｆｆｅｃｔｉｖｅ  Ｓｔｒｅｓｓｅｓ  ｉｎ  ａ  Ｐｏｒｏｕｓ  Ｂｅｄ、”  Ｇｅｏｔｅｃｈｎｉｑｕｅ、  Ｖｏｌ．２８、  Ｎｏ．４、  ｐｐ．３７７−３９３．
【非特許文献９】Ｙａｍａｍｏｔｏ、  Ｔ．  Ｋｏｎｉｎｇ、  Ｈ．  Ｓ．  Ｈ．  Ｌ．  Ｋ．  ａｎｄ  Ｖａｎ  Ｈｉｊｕｍ、  Ｅ．  （１９７８）：  “Ｗａｖｅ  Ｉｎｄｕｃｅｄ  Ｉｎｓｔａｂｉｌｉｔｙ  ｉｎ  Ｓｅａｂｅｄ、”  Ｐｒｏｃ．  Ｃｏａｓｔａｌ  Ｓｅｄｉｍｅｎｔｓ、  ＡＳＣＥ、  ｐｐ．８９８−９１３．
【非特許文献１０】Ｐｕｔｎａｍ、  Ｊ．  Ａ．  （１９４９）：  “Ｌｏｓｓ  ｏｆ  Ｗａｖｅ  Ｅｎｅｒｇｙ  ｄｕｅ  ｔｏ  Ｐｅｒｃｏｌａｔｉｏｎ  ｉｎ  ａ  Ｐｅｒｍｅａｂｌｅ  Ｓｅａ  Ｂｏｔｔｏｍ、”  Ａｍｅｒｉｃａｎ  Ｇｅｏｐｈｙｓｉｃａｌ  Ｕｎｉｏｎ、  Ｖｏｌ．３０、  Ｎｏ．  ３、  ｐｐ．３４９−３５６．
【非特許文献１１】Ｍｅｉ，  Ｃ．  Ｃ．  ａｎｄ  Ｆｏｄａ，  Ｍ．  Ａ．  （１９８１）：  “Ｗａｖｅ  Ｉｎｄｕｃｅｄ  Ｒｅｓｐｏｎｓｅｓ  ｉｎ  ａ  Ｆｌｕｉｄ  Ｆｉｌｌｅｄ  Ｐｏｒｏ−ｅｌａｓｔｉｃ  Ｓｏｌｉｄ  ｗｉｔｈ  ａ  Ｆｒｅｅ  Ｓｕｒｆａｃｅ  −  ａ  Ｂｏｕｎｄａｒｙ  Ｌａｙｅｒ  Ｔｈｅｏｒｙ，”  Ｇｅｏｐｈｙｓｉｃｓ．  Ｊ．  Ｒ．  Ａｓｔｒ．，  Ｖｏｌ．  ６８，  ｐｐ．５９７−６３７．
【非特許文献１２】三浦均也、浅原信吾、大塚夏彦、上野勝利（２００４）：  ”波浪に対する海底地盤応答の連成解析のための地盤の定式化、”  第４９回地盤工学シンポジウム、ｐｐ．２３３−２４０
【非特許文献１３】浅原信吾（２００６）：  豊橋技術科学大学平成１７年度修士論文
【発明の開示】
【発明が解決しようとする課題】
【０００６】
図２は進行波あるいは孤立波（重複波）が作用する水平海底地盤の解析条件を示している。図中にはそれぞれ変相角の値も示している。表１には解析において複数の地盤材料を線形弾性理論でモデル化する際の典型的な物理・力学定数を示し、また、表２には解析で採用した３種類の波の性質を列挙している。波浪は微小振幅波理論によってモデル化し、海底地盤表面での水圧は波高に比例し、波長と周期の関数として算定している。Ｗａｖｅ＿２では日本沿岸における荒天時の平均的な波浪を想定し、Ｗａｖｅ＿３では大水深における日本沿岸では通常は起こりえない程度の荒天時を想定している。
【０００７】
【表１】
2008082027.tif 000002
【０００８】
【表２】
2008082027.tif 000003
【０００９】
波浪に対する地盤の典型的な応答を比較して示し、それにより海底地盤が波浪により不安定化するメカニズムを説明するために、３種類の地盤材料（緩い砂、正規圧密粘土、礫）からなる海底地盤を設定し、進行波（Ｗａｖｅ＿３）に対するそれらの地盤の応答を一次元条件で厳密解によって計算した。図３は海底地表面における水圧振幅で正規化した過剰間隙水圧の鉛直分布を、図４は鉛直有効応力の鉛直分布を示していて、分布を８つの変相角に対応してプロットしている。基本的な挙動を説明するために、図５には地表面ｚ  ＝  ０ｍと深さ１ｍにおける過剰間隙水圧の変相角に対応した変動を示している（（ａ）は緩い砂地盤、（ｂ）は礫地盤）。図４に示す有効応力の挙動から明らかなように、緩い砂地盤と粘土地盤では地表面近くに有効応力が負になる現象が見られる。図３（ａ）が示すように、緩い砂では過剰間隙水圧の変動には深さ方向で急激な減衰挙動が見られる。図５（ａ）が示すように、過剰間隙水圧の伝播には位相差も見られ、地表面での水圧が減少している３π／８から１１π／８を中心に地表面よりも海底地盤内で過剰間隙水圧が大きくなっている。このことにより地盤内には上向き浸透流が発生して３地盤に重力とは逆向きの物体力が生じ、結果として７π／８付近で鉛直有効応力が負になっている。実際の地盤材料は線形弾性体ではなく負の応力（引張応力）に抵抗できないので、このとき海底地盤は一体性を失い不安定化することになる。よって、砂地盤の場合にはＷａｖ＿２では約３ｍ、Ｗａｖｅ＿３では５ｍ以上不安定化し、これが波の通過（海水面の変動）に同調して繰返して不安定化することが分かる。このような地盤の上に構造物が設置されると、構造物は安定を失い、地盤が不安定化する領域内で沈下・傾倒することになる。
【００１０】
図３から図５に示すように、このような海底地盤の波浪による不安定化はすべての地盤において必ず生じるわけではなく、礫地盤では見られない現象である。図５（ｂ）が示しているように礫地盤は透水性が良いために地表面の水圧変動がほとんど減衰せずに地盤に伝達されている。これによって、緩い砂地盤では顕著であった上向き浸透流が礫地盤では鉛直有効応力を負にするほど大きくなっていない。
【課題を解決するための手段】
【００１１】
第１発明は、海底地盤に透水性のよいコラムを配置することによって海底地盤を波浪に対して安定化させる海底地盤安定化工法である。海底地盤を波浪による不安定化させないための方策としては以下のようなことが考えられる。（１）  海底地盤表面に作用する水圧変動を抑制する。
（２）海底地盤表面の水圧を減衰させずに地盤内に伝達させ、地表面と内部での過剰間隙水圧の差を抑制する。
【００１２】
最初の考え方は一般的に広く受け入れられている考え方であり、種々の消波工によって波浪の勢いを減少させる試みはこの方策によっている。一方、地表面の水圧を地盤内に積極的に導く第二の方策は、水圧により地盤の不安定化がより進行するように思われるかもしれない。しかし、図５に示した礫地盤の挙動が示唆しているように、結果的には上向き浸透流が抑制されるので不安定化を防止するのには効果的であると言える。この発明は海底地盤に透水性コラムを配置することによって地表面に働く圧力を地盤内に誘導し、地盤内を安定化させる工法である（請求項１に対応する）。
【００１３】
第２発明は、この発明で提案する地盤安定化工法である透水性コラムの効果を定量的に評価し、透水性コラムの配置計画と設計を支援する固体相（土粒子）と流体相（間隙流体）の相互作用を考慮した有限要素法による解析手法である（請求項２に対応する）。
【００１４】
第３発明は、港湾、沿岸・海洋域において護岸や防波堤等の種々の構造物を波浪に対して安定化するための、透水性コラムの適用方法の例である（請求項３に対応する）。
【発明の効果】
【００１５】
第１発明は、透水性コラムの設置により海底地盤内の上向き浸透流の発生を抑制し、地盤内を安定化させることができる（請求項１に対応する）。
【００１６】
第２発明は、この発明で提案する地盤安定化工法である透水性コラムの効果を定量的に評価し、透水性コラムの配置計画と設計を支援することができる（請求項２に対応する）。
【００１７】
第３発明は、透水性コラムによる地盤安定化工法を護岸、混成防波堤、消波ブロック堤、潜堤等の沿岸、沖合い・海洋構造物に適用すれば、沿岸および沖合におけるこれらの構造物の対波浪安定性を向上させることができる（請求項３に対応する）。
【発明を実施するための最良の形態】
【００１８】
図６には底地盤表面の水圧を減衰させずに地盤内に伝達させ、地表面と内部での過剰間隙水圧の差を抑制する方策に基づき海底地盤を安定化させる方法を示している。図６（ａ）は地表面に礫の層（グラベル・マット）を設置する方法である。この方法は、現行の礫材で構造物の基礎（マウンド）を設置するなどの工法において実際に取り入れられている。図６（ｂ）は、本文で提案する地盤内に透水性の高い棒状の材料（透水性コラム）を鉛直に立て込んだ地盤である。さらに、図６（ｃ）はグラベル・マットと透水性コラムを併用した海底地盤を示している。次節では、これらの方法の海底地盤の安定化へ効果を有限要素法により解析して検討する。
【００１９】
グラベル・マットの効果を示すために、地表面に礫層を配し緩い砂地盤の波浪に対する応答を有限要素法により一次元で解析した結果を図７・８に示している（浅原；  ２００５）。それぞれの図における（ａ）は図３に示したような過剰間隙水圧の変動範囲を、（ｂ）は図４に示したような鉛直有効応力の変動幅を示している。図示のようにグラベル・マットの厚さＤｇｍを増大させると、地盤は明らかに安定することがわかる。ただし、地盤の不安定化を完全に押さえるには通常の荒天時のＷａｖｅ＿２に対してはグラベル・マットを２ｍ程度、極端な荒天時のＷａｖｅ＿３に対しては３ｍ程度の厚さが必要であることがわかる。これらの値は、実際の設計に際してはかなり大きな厚さとなっている。
【００２０】
図９には透水性コラムを立て込んだ場合の海底地盤の形状と定義を示している。有限要素法では近接する４本の透水性コラムに囲まれた領域の４分の１を解析対象としてメッシュを作成し、透水性コラムの物性を仮に礫と同じとした。また、以下の解析では、透水性コラムの直径がＤｐｃ  ＝  ０．２ｍ、間隔がＷｐｃ  ＝  １．５ｍを標準としている。図１０〜１２Ｗａｖｅ＿２に対する応答を、図１３〜１５にＷａｖｅ＿３に対する応答を示している。図には領域の中央位置での過剰間隙水圧変動と鉛直有効応力変動および透水コラム位置における過剰間隙水圧変動をその範囲で示している。波浪の性質は表２に示す通りであるが、先に示したものとは異なり構造物の周辺で見られる孤立波とした。
【００２１】
図１０・１３では透水コラムの長さＬｐｃをパラメータにして挙動を比較している。透水性コラムの効果は明瞭で、負の有効応力は明瞭に減少して不安定化する深度も明らかに縮小している。Ｗａｖｅ＿２では長さ３ｍ、Ｗａｖｅ＿３に対しては長さが５ｍ程度で十分な効果がありそうで、不安定化する範囲はそれぞれ深度が３ｍから１．８ｍへ、５．３ｍから４．３ｍへ縮小している。
【００２２】
図１１・１４では透水性コラムの直径Ｄｐｃをパラメータにした挙動の比較を示している。採用した解析条件ではそれぞれＷａｖｅ＿２に対しては２０ｃｍで十分な効果が得られそうであるが、Ｗａｖｅ＿３に対しては透水性コラムの直径をさらに大きくすると効果が増しそうである。
【００２３】
図１２・１５では透水性コラムの間隔Ｗｐｃをパラメータにした挙動の比較を示している。採用した解析条件ではそれぞれＷａｖｅ＿２に対しては間隔が１．５ｍで十分な効果が得られそうであるが、Ｗａｖｅ＿３に対しては間隔をさらに小さくすると効果が増しそうである。
【００２４】
図１６・１７は透水性コラムにグラベル・マットを併用した条件で地盤の応答を解析した結果を、グラベル・マットの厚さをパラメータにして示している。図示のように、設定した標準条件においては、Ｗａｖｅ＿２に対しては透水コラムの長さを３ｍでグラベル・マットの厚さを１ｍ、Ｗａｖｅ＿３に対しては透水コラムの長さを５ｍでグラベル・マットの厚さを３ｍとすれば、領域の中央（透水性コラムから最も離れた地点）においても海底地盤の不安定化を防ぐことができそうである。
【００２５】
現在では消波ブロックに代表される、構造物や海底地盤地表面に作用する水圧を減少させるための種々の工法が取られている。また、礫材を用いたマウンドの設置や地盤をブロック等で被覆することによって地盤を安定化する工法も取られている。これらに比べると、透水性コラムによる工法は地盤をより深い部分まで安定化することが可能であり、また、礫材を数メートルの厚さで敷設することに比べると、材料の調達や建設コストの面で優位性があると考えられる。図１８には、透水性コラムによる海底地盤の安定化工法の可能性のある提供方法を示している。有限要素法による解析によりその効果を定量的に検討しつつ、護岸、混成防波堤、消波ブロック堤、潜堤等に適用すれば、沿岸および沖合におけるこれらの構造物の対波浪安定性を向上させることが可能であると考えられる。
【産業上の利用可能性】
【００２６】
本発明は沖合・沿岸構造物における基礎地盤の安定化に利用可能である。
【図面の簡単な説明】
【００２７】
【図１】重力式防波堤
【図２】水平海底地盤の解析条件と波浪の定義
【図３】一次元解析による水平海底地盤の応答（過剰間隙水圧分布の変化）
【図４】一次元解析による水平海底地盤の応答（鉛直有効応力の変化）
【図５】海底地盤における間隙水圧と有効応力の位相角に対する変化
【図６】海底地盤の対波浪安定化工法の考え方
【図７】グラベルマットによる海底地盤の安定化（Ｗａｖｅ＿２）
【図８】グラベルマットによる海底地盤の安定化（Ｗａｖｅ＿３）
【図９】透水コラムを設置した水平海底地盤の３次元解析
【図１０】海底地盤の応答に及ぼす透水コラムの長さの影響（Ｗａｖｅ＿２）
【図１１】海底地盤の応答に及ぼす透水コラムの直径の影響
【図１２】海底地盤の応答に及ぼす透水コラムの間隔の影響
【図１３】海底地盤の応答に及ぼす透水コラムの長さの影響（Ｗａｖｅ＿３）
【図１４】海底地盤の応答に及ぼす透水コラムの直径の影響（Ｗａｖｅ＿３）
【図１５】海底地盤の応答に及ぼす透水コラムの間隔の影響（Ｗａｖｅ＿３）
【図１６】グラベルマットを併用した透水カラムによる海底地盤の安定化（Ｗａｖｅ＿２）
【図１７】グラベルマットを併用した透水カラムによる海底地盤の安定化（Ｗａｖｅ＿３）
【図１８】透水性カラムによる海底地盤安定化工法の適用法
【符号の説明】
【００２８】
なし
【図１】
2008082027.tif 000004
【図２】
2008082027.tif 000005
【図３】
2008082027.tif 000006
【図４】
2008082027.tif 000007
【図５】
2008082027.tif 000008
【図６】
2008082027.tif 000009
【図７】
2008082027.tif 000010
【図８】
2008082027.tif 000011
【図９】
2008082027.tif 000012
【図１０】
2008082027.tif 000013
【図１１】
2008082027.tif 000014
【図１２】
2008082027.tif 000015
【図１３】
2008082027.tif 000016
【図１４】
2008082027.tif 000017
【図１５】
2008082027.tif 000018
【図１６】
2008082027.tif 000019
【図１７】
2008082027.tif 000020
【図１８】
2008082027.tif 000021